(57)【要約】【課題】鮎を川鵜による食害から、簡易な手段で保護する。【解決手段】河川の水中に、鮎は通過可能で、川鵜は通過不能又は通過困難な網目からなる防鳥ネット１をセットする。防鳥ネット１の水面寄りをなす上縁１１の適所にフロート１２を取付けておき、川底１０５寄りをなす下縁１５の適所に錘１６を取付けておく。河川１０１を横断する配置で索体２１を張る。防鳥ネット１の一端部１８を索体２１に連結する。これによって、防鳥ネット１の上縁１１を水面寄りに保持しかつ下縁１５を川底寄りに保持し、網面３を河川の上流から下流に向けてその水流によって展開状にセットする。こうすることで、鮎が川鵜に追われた際、鮎のみを防鳥ネット１の網目を通過させることで、川鵜から保護する。【選択図】      図１
2005058011.tif 000002
【特許請求の範囲】
【請求項１】
河川の水中に、川小魚は通過可能で、その川小魚を捕食する鳥は通過不能又は通過困難な網目からなる防鳥ネットをセットし、前記川小魚が該川小魚を捕食する鳥に追われた際に該川小魚のみを防鳥ネットの網目を通過させることによって該川小魚を捕食する鳥から該川小魚を保護する方法。
【請求項２】
前記防鳥ネットを、その網面が水面に対して縦になるようにセットすることを特徴とする、請求項１に記載の川小魚を捕食する鳥から該川小魚を保護する方法。
【請求項３】
前記防鳥ネットを、その網面が水面に対して斜めになるようにセットすることを特徴とする、請求項１に記載の川小魚を捕食する鳥から該川小魚を保護する方法。
【請求項４】
前記防鳥ネットを複数、しかもその各網面が互いに対面するようにセットすることを特徴とする請求項１〜３のいずれか１項に記載の川小魚を捕食する鳥から該川小魚を保護する方法。
【請求項５】
前記防鳥ネットをその網面が河川の上流から下流に向けてその流れに沿うようにセットすることを特徴とする請求項１〜４のいずれか１項に記載の川小魚を捕食する鳥から該川小魚を保護する方法。
【請求項６】
前記防鳥ネットの水面寄りをなす上縁の適所に或いは上縁に沿ってフロートを取付けておくとともに、該防鳥ネットの川底寄りをなす下縁の適所に或いは下縁に沿って錘を取付けておく一方、
河川を横断する配置で索体を張り、
前記防鳥ネットの一端部を前記索体に直接又は間接に連結することによって、前記防鳥ネットの上縁を水面寄りに保持しかつ該防鳥ネットの下縁を川底寄りに保持するとともに、該防鳥ネットの網面を河川の上流から下流に向けてその水流によって展開状に保持することによって該防鳥ネットをセットすることを特徴とする、請求項１〜５のいずれか１項に記載の川小魚を捕食する鳥から該川小魚を保護する方法。
【請求項７】
前記川小魚が鮎であり、前記捕食する鳥が川鵜であることを特徴とする、請求項１〜６のいずれか１項に記載の川小魚を捕食する鳥から該川小魚を保護する方法。
【請求項８】
川小魚は通過可能で、その川小魚を捕食する鳥は通過不能又は通過困難な網目からなる防鳥ネットの一側縁の適所に、或いはその一側縁に沿ってフロートを取付けておくとともに該一側縁に対向する側の対向側縁の適所に或いは該対向側縁に沿って錘を取付けておく一方、
河川を横断する配置で索体を張り、
前記防鳥ネットの一端部を前記索体に直接又は間接に連結することによって、前記防鳥ネットの前記一側縁を水面寄りに保持しかつ該防鳥ネットの前記対向側縁を川底寄りに保持するとともに、該防鳥ネットの網面を河川の上流から下流に向けてその水流によって展開状に保持することによって該防鳥ネットを河川の水中にセットすることを特徴とする、防鳥ネットのセット方法。
【請求項９】
前記川小魚が鮎であることを特徴とする、請求項８に記載の防鳥ネットのセット方法。
【請求項１０】
川小魚を捕食する鳥が通過不能又は通過困難な網目からなる防鳥ネットは、その網面が略水面に位置するように適所にフロートを取付けておくとともに、側縁に沿って適宜の間隔で、両側縁の間に適度の張りを保持させるように両側縁の間隔保持部材を介在させる一方、
河川を横断する配置で索体を張り、
前記防鳥ネットの一端部を前記索体に直接又は間接に連結することによって、前記防鳥ネットの両側縁の間に適度の張りを保持しつつ、前記防鳥ネットの網面を河川の上流から下流に向けてその水流によって展開状に保持することによって、該防鳥ネットを河川の水面にセットすることを特徴とする、防鳥ネットのセット方法。
【請求項１１】
川小魚を捕食する鳥が通過不能又は通過困難な網目からなり、それ自体が水に浮く素材からなる防鳥ネットであって、側縁に沿って適宜の間隔で、両側縁の間に適度の張りを保持させるように両側縁の間隔保持部材を介在させる一方、
河川を横断する配置で索体を張り、
前記防鳥ネットの一端部を前記索体に直接又は間接に連結することによって、前記防鳥ネットの両側縁の間に適度の張りを保持しつつ、前記防鳥ネットの網面を河川の上流から下流に向けてその水流によって展開状に保持することによって、該防鳥ネットを河川の水面にセットすることを特徴とする、防鳥ネットのセット方法。
【請求項１２】
前記川小魚が鮎であり、前記捕食する鳥が川鵜であることを特徴とする、請求項１０又は１１に記載の防鳥ネットのセット方法。
【発明の詳細な説明】
【０００１】
【発明の属する技術分野】
本発明は、河川（清流）に生息する鮎等の川小魚を捕食する川鵜等の鳥から、その川小魚を保護する方法、及び鮎等の川小魚を捕食する川鵜等の鳥から、その川小魚を保護するための防鳥ネットのセット方法に関する。
【０００２】
【発明の背景】
鮎は、川釣り（清流釣り）における代表的な釣り対象魚であるが、近年の鮎は養殖された稚鮎、或いは別途、仕入れた稚鮎を河川（清流）に放流し、そこで成魚に向けて育てて、適切な体長になるのを待って、或いは、適切時期を待って釣解禁とされて一般釣り人に提供されるのが普通である。ところが、近年、とくに川鵜が異常繁殖しており、鮎を食い荒らしているという被害（食害）が多く報告されている。とくに、１００羽単位で飛来してくる川鵜は、１度の飛来において１羽で、体長が１０ｃｍ未満の稚鮎なら数十匹、場合によっては１００匹以上も食べてしまうため、その食害が問題とされている。この川鵜による食害は、地域によっては深刻で、漁業関係者のみならず、釣り人にとっても重大な問題となっている。
【０００３】
一方、川鵜は、その保護政策により、容易に駆除できない。川鵜による食害からの鮎の保護としてのその駆除は、その条件や駆除可能数が厳格に規制されるため、有効策とはならない。このため、従来、鮎を川鵜から保護する方法として取り得る対策としては、基本的には、脅しのための発砲、音響或いは花火程度しかない。しかし、このような発砲等では、当初は有効であるが、短時間で川鵜にその安全性が知られてしまい、鮎を川鵜から保護する有効な手段とならないのが実情である。そして、このような食害は、鮎に限られるものではなく、あまご、いわな、うぐい、おいかわ等、清流や渓流に生息する川小魚全般にも及んでいる。
加えて、このような川小魚を潜って捕食する鳥は、川鵜に限られるものではなく、カワアイサも同様の食害の原因となっている。その他、河川に生息する鮎を川鵜から保護する方法についての先行技術に関する文献情報は出願人の知る限りにおいては存在しない。
【０００４】
【発明が解決しようとする課題】
本発明は、鮎、あまご、いわな、うぐい、おいかわ等、清流や渓流に生息する川小魚を、川鵜やカワアイサ等のように、潜って捕食する鳥による食害から保護することをその課題とし、川鵜等を殺傷することなく、簡易に実効性のあるその保護方法を提供することをその目的とする。
【０００５】
【課題を解決するための手段】
前記の目的を達成するため、請求項１記載の発明は、河川の水中に、川小魚は通過可能で、その川小魚を捕食する鳥は通過不能又は通過困難な網目からなる防鳥ネット（網）をセットし、前記川小魚が該川小魚を捕食する鳥に追われた際に該川小魚のみを防鳥ネットの網目を通過させることによって該川小魚を捕食する鳥から該川小魚を保護する方法である。本明細書において、川小魚とは、鮎、あまご、いわな、うぐい、おいかわ、又はやまめのうちのいずれかをいう。また、本明細書において、川小魚を捕食する鳥とは、鳥類のうち、川鵜、又はカワアイサをいう。なお、以下、川小魚については適宜、鮎を例示し、川小魚を捕食する鳥については川鵜を例示して説明する。
【０００６】
川鵜が水中に潜って鮎を追うと、追われた鮎は反射的に川鵜から逃げる。このとき、本発明によれば、追われた鮎は前記防鳥ネットの網目をくぐって、網の反対側に逃げることができる。一方、川鵜は、防鳥ネットでその前進が停止又は阻害されるため、鮎はその間に逃げ延びることができる。したがって、川鵜を特に害することもないし、鮎はこのような網がない場合に比べると、確実に川鵜による食害から保護される。すなわち、本発明によれば、鮎を川鵜から簡易な手段によりかつ効率的に保護できる。
【０００７】
なお、川鵜は、河川における鮎の溜まり場に飛来して鮎を急襲するため、前記防鳥ネットは、鮎の溜まり場に適宜にセットすることで、その効果が得られる。
また、鮎は通常、略水平ないし水面に対して斜めに回遊、移動する習性がある。
したがって、前記防鳥ネットは、請求項２に記載のように、その網面が水面（川面）に対して縦に（水平でなく略垂直状に）なるようにセットするか、請求項３に記載のように、その網面が水面に対して斜めになるようにセットするとよい。
【０００８】
請求項２にかかる発明は、前記防鳥ネットを、その網面が水面に対して縦になるようにセットすることを特徴とする、請求項１に記載の川小魚を捕食する鳥から該川小魚を保護する方法である。また、請求項３にかかる発明は、前記防鳥ネットを、その網面が水面に対して斜めになるようにセットすることを特徴とする、請求項１に記載の川小魚を捕食する鳥から該川小魚を保護する方法である。
【０００９】
請求項４にかかる発明は、前記防鳥ネットを複数、しかもその各網面が互いに対面するようにセットすることを特徴とする請求項１〜３のいずれか１項に記載の川小魚を捕食する鳥から該川小魚を保護する方法である。
【００１０】
このように、防鳥ネットをセットしておけば、１つの防鳥ネットの両面から川鵜が鮎を追うようなときでも、鮎は対面する別の防鳥ネットの網目を通って逃げることができる。このため、鮎を川鵜からより効果的に保護することができる。
【００１１】
請求項５にかかる発明は、前記防鳥ネットをその網面が河川の上流から下流に向けてその流れに沿うようにセットすることを特徴とする請求項１〜４のいずれか１項に記載の川小魚を捕食する鳥から該川小魚を保護する方法である。
【００１２】
このように防鳥ネットを水の流れに沿うようにセットすれば、防鳥ネットに対する水流による水圧を小さくできるため、防鳥ネットを痛めることが少ない。
【００１３】
請求項６にかかる発明は、前記防鳥ネットの水面寄りをなす上縁の適所に或いは上縁に沿ってフロート（浮き）を取付けておくとともに、該防鳥ネットの川底寄りをなす下縁の適所に或いは下縁に沿って錘を取付けておく一方、
河川を横断する配置で索体を張り、
前記防鳥ネットの一端部を前記索体に直接又は間接に連結することによって、前記防鳥ネットの上縁を水面寄りに保持しかつ該防鳥ネットの下縁を川底寄りに保持するとともに、該防鳥ネットの網面を河川の上流から下流に向けてその水流によって展開状に保持することによって該防鳥ネットをセットすることを特徴とする、請求項１〜５のいずれか１項に記載の川小魚を捕食する鳥から該川小魚を保護する方法である。なお、本明細書において、索体とは、ワイヤ（金属線）、ロープ（鋼索、織糸綱等の綱）、針金、縄、紐等の線状体をいう。
【００１４】
請求項７にかかる発明は、前記川小魚が鮎であり、前記捕食する鳥が川鵜であることを特徴とする、請求項１〜６のいずれか１項に記載の川小魚を捕食する鳥から該川小魚を保護する方法である。
【００１５】
請求項８にかかる発明は、川小魚は通過可能で、その川小魚を捕食する鳥は通過不能又は通過困難な網目からなる防鳥ネットの一側縁の適所に、或いはその一側縁に沿ってフロートを取付けておくとともに該一側縁に対向する側の対向側縁の適所に或いは該対向側縁に沿って錘を取付けておく一方、
河川を横断する配置で索体を張り、
前記防鳥ネットの一端部を前記索体に直接又は間接に連結することによって、前記防鳥ネットの前記一側縁を水面寄りに保持しかつ該防鳥ネットの前記対向側縁を川底寄りに保持するとともに、該防鳥ネットの網面を河川の上流から下流に向けてその水流によって展開状に保持することによって該防鳥ネットを河川の水中にセットすることを特徴とする、防鳥ネットのセット方法である。
【００１６】
請求項７又は８にかかる発明においては、防鳥ネットを河川の水面と川底との上下方向については、フロートと錘で展開状に保持するとともに、上流から下流に向けては、防鳥ネットの一端部を索体に取付けることで、流れにまかせることで展開状に保持するものであるため、防鳥ネットのセットが容易にできる。しかも、セット位置の変更が容易にできる。すなわち、鮎の溜まり場よりも上流側において河川を横断する配置で索体を設けておき、この索体と、防鳥ネットの一端部との連結を、直接又は別の索体（ロープやワイや）を介して連結しておき、防鳥ネットの一端部と連結する索体の長さを変えることで、セットする河川の上下流域を容易に変更できる。また、防鳥ネットの一端部を索体に取付けることでセットする方法のため、防鳥ネットの回収（片付け）も、その索体を川岸から引寄せることでできる。したがって降雨時や増水時などの緊急時においても、防鳥ネットを簡易、迅速に回収できる。なお、河川を横断する配置で張る索体は、水面上の空中に張ってもよいし、景観を損ねるようであれば、水中において張ればよいなど、どの位置に張ってもよい。なお、このような索体は、両川岸に杭を打ち込み、その各杭に、両端をそれぞれ連結するようにし、索体に適宜の引張力を付与するようにすればよい。なお、索体には、例えば、ステンレス合金製のワイヤ、或いは合成樹脂製のロープを用いるとよい。請求項９にかかる発明は、前記川小魚が鮎であることを特徴とする、請求項８に記載の防鳥ネットのセット方法である。
【００１７】
請求項１０にかかる発明は、川小魚を捕食する鳥が通過不能又は通過困難な網目からなる防鳥ネットは、その網面が略水面に位置するように適所にフロートを取付けておくとともに、側縁に沿って適宜の間隔で、両側縁の間に適度の張りを保持させるように両側縁の間隔保持部材を介在させる一方、
河川を横断する配置で索体を張り、
前記防鳥ネットの一端部を前記索体に直接又は間接に連結することによって、前記防鳥ネットの両側縁の間に適度の張りを保持しつつ、前記防鳥ネットの網面を河川の上流から下流に向けてその水流によって展開状に保持することによって、該防鳥ネットを河川の水面にセットすることを特徴とする、防鳥ネットのセット方法である。
【００１８】
この発明は、河川の水面に対し、鮎を川鵜から保護する防鳥ネットをセットする方法であるが、このような防鳥ネットのセット方法によれば、簡易に、鮎を川鵜から保護できる防鳥ネットを水面に展開状にセットできる。また、その回収も容易にできる。なお、フロートは、防鳥ネットの両側縁の適所に、或いは、両側縁に沿って設けてもよいし、網面の中間部位に設けてもよい。防鳥ネットの形状、サイズによって適宜に設定すればよい。
【００１９】
請求項１１にかかる発明は、川小魚を捕食する鳥が通過不能又は通過困難な網目からなり、それ自体が水に浮く素材からなる防鳥ネットであって、側縁に沿って適宜の間隔で、両側縁の間に適度の張りを保持させるように両側縁の間隔保持部材を介在させる一方、
河川を横断する配置で索体を張り、
前記防鳥ネットの一端部を前記索体に直接又は間接に連結することによって、前記防鳥ネットの両側縁の間に適度の張りを保持しつつ、前記防鳥ネットの網面を河川の上流から下流に向けてその水流によって展開状に保持することによって、該防鳥ネットを河川の水面にセットすることを特徴とする、防鳥ネットのセット方法である。
【００２０】
請求項１０にかかる発明では、防鳥ネットにフロートを取付ける必要があるが、このものでは、その取付けを要しない分、より簡易にそのセットができる。請求項１２にかかる発明は、前記川小魚が鮎であり、前記捕食する鳥が川鵜であることを特徴とする、請求項１０又は１１に記載の防鳥ネットのセット方法である。
【００２１】
【発明の実施の形態】
本発明の第１の実施の形態を図１〜図５を参照しながら詳細に説明する。図中、１は防鳥ネットであり、各々は展開してみたときは、その全体で例えば、細長い長方形をなしている。そして、その防鳥ネット１における１つの網目２は、任意の多角形（例えば、矩形）とされており、その開口の大きさは本形態では、鮎（成魚）は通過可能で、川鵜（成鳥）は通過不能又は通過困難な大きさとされている。そして、このような防鳥ネット１は、河川１０１の水中１０２に、例えば、その網面３が水面１０３に対して縦（上下）になるようにセットされている（図２、３参照）。なお、本例では、略同一形状、略同一サイズの防鳥ネット１が複数（図示３枚）、しかもその各網面３が互いに対面するように、或いは平行となるようにセットされている。
【００２２】
そして、防鳥ネット１は、本形態では展開したときの全体形状である長方形をなす一方の長辺（水面１０３寄りをなす上縁。以下、上縁ともいう）１１が、水面１０３寄りをなし、他方の長辺（川底１０５寄りをなす下縁。以下、下縁ともいう）１５が川底１０５寄りをなすように、河川１０１の水中１０２に配置されるように次のように形成されている。すなわち、本形態では、防鳥ネット１の水面１０３寄りをなす上縁１１の適所に、或いは上縁１１に沿ってフロート（浮き）１２がロープ１３等により連結されている。そして、防鳥ネット１の川底１０５寄りをなす下縁１５の適所に、或いは下縁１５に沿って錘１６がロープ１７等により連結されている。ただし、フロート１２は、防鳥ネット１を流れのない水中１０２に入れ、その上縁である長辺１１に沿ってある程度の引張力を付与したとき、その上縁を、水面１０３又はその近傍の水中１０２に位置させ得る浮力のあるものとされている。また、この時、防鳥ネット１の下縁である長辺の適所に或いは下縁１５に沿って取付けられた錘１６によって、防鳥ネット１は、水中１０２で垂れ下がり状となるように設定されている。したがって、水深が、防鳥ネット１の短辺１８、１９の長さより大きめのときに、その網面３が水面１０３に対して略縦になるように設定されている。本形態の防鳥ネット１は、その短辺１８、１９に沿う上下方向への展開がこのようにフロート１２と錘１６によって展開されるように設定されている。フロート１２は、それ自体が比重の極めて小さいプラスチック、又は内部に空気が溜まっているプラスチック容器状のものでよい。また、錘１６は、フロート１２とで防鳥ネット１を上下に展開できればよく、適宜の比重、重量のものであればよい。したがって、金属塊又は錨形状のものでもよい。
【００２３】
一方、本形態の防鳥ネット１は、その長辺１１、１５に沿う方向への展開、つまり、長辺に沿う方向の網面３は、河川１０１の上流（図１の右上、又は図３の右側）から下流（図１の左下、又は図３の左側）に向けてその流れ（図中の破線矢印）まかせることで行なうように設定されている。このため、防鳥ネット１の一方の短辺（図１の右上、又は図３の右側）１８を、河川１０１におけるセッティング場所の最上流位置として位置決めし、そこで一応の固定をすることで、防鳥ネット１を河川の水中１０２にセット（設置）すればよい。
【００２４】
なお、このような防鳥ネット１のセットにおける固定は、本形態では次のようにされている。図１〜３に示したように、河川１０１を横断する配置で索体（例えば、ステンレス合金製のワイヤ。以下、ワイヤともいう）２１を張る。これは、河川１０１の両岸１１１、１１２に杭１１５、１１６を打ち込み、その杭にワイヤ２１の各端を適度のテンションを付与して連結する。そして、このワイヤ２１に防鳥ネット１の一方の短辺（一端部）１８を例えば、索体２１と同様のワイヤ２２、２３を介して連結している。なお、本形態では短辺１８に沿って、例えば図示はしないが樹脂製の棒（又はパイプ）が取付けられており、防鳥ネット１の一端部１８である前端部の上下がタイトになるように構成されており、その上下からワイヤ２２、２３をのばして、河川１０１を横断する配置で張られた索体２１に取付けられている。ただし、この取付けは、ワイヤ２２、２３の先端に例えばステンレス合金製のリング（環状体）２５を連結してその中に索体２１を通した形とされている。つまり、このリング２５を索体２１にスライド自在にして遊嵌状として取りつけられている。
【００２５】
また、本形態では、このリング２５を索体２１に沿って移動させることで防鳥ネット１を河川１０１に設置し、或いはその設置位置を可変し、或いは川岸に引寄せて回収できるように、図４に示したように、そのリング２５に別設のロープ２７が設けられている。なお、本形態では、別設のロープ２７は、一方の川岸１１２から操作できるように、他方の川岸１１１に取付けられたブロック（滑車）２８を介して折り返され、ロープ２７の両端が一方の川岸１１２においてそれぞれ例えばウインチ２９、３０に巻かれている。しかして、防鳥ネット１を河川１０１の水中にセットするときは一方のウインチ２９を緩めてそれに巻かれているロープ２７を繰り出し、他方のウインチ３０を回して繰り出されたロープ２７を巻き取り、適宜の位置としたところで、ロープ２７の両端をウインチに固定することで、そのセットができる。また、防鳥ネット１を回収するときは、その逆を行なえばよい。すなわち、他方のウインチ３０を緩めてそれに巻かれているロープ２７を繰り出し、一方のウインチ２９を回して繰り出されたロープ２７を巻き取ることで、その回収ができるように構成されている。
【００２６】
しかして、本形態においては、防鳥ネット１は、その上縁１１を水面１０３寄りに保持しかつ下縁１５を川底１０５寄りに保持するとともに、河川の上流側に位置する一端部１８を索体２１に連結することで、その水中にセットされている。そして、網面３をその長辺１１、１５に沿って河川の上流から下流に向けてその水流によって展開状に保持させることで、その防鳥ネット１はセットされる。
【００２７】
このように、防鳥ネット１を、一方の短辺（一端部）１８をワイヤ２１に直接又は間接に連結し、河川１０１の鮎の溜まり場をなす水中１０２に、一方の長辺を水面１０３寄りに保持しかつ他方の長辺を川底１０５寄りに保持する。そして、このような防鳥ネット１は、その網目２が、鮎は通過可能で、川鵜は通過不能又は通過困難な、形状、大きさのものである。したがつて、このような防鳥ネット１が鮎の溜まり場をなす水中１０２に水没させておくことで、次のような効果がある。すなわち、図４に示したように、鮎Ｆが川鵜Ｋに追われた際には、鮎Ｆは、防鳥ネット１の網目２を通過して逃げる。一方、川鵜Ｋは、その網目２が通過不能又は通過困難に形成されているため、鮎Ｆを襲うことが不可能または困難になる。したがって、川鵜Ｋを痛めることもなく、鮎Ｆを川鵜Ｋによる食害から効果的に防止できる。
【００２８】
上記においては、その網面３が水面１０３（川面）に対して縦に（水平でなく略垂直状に）なるようにセットしたが、その網面３が水面１０３に対して斜めになるようにセットしてもよい。
【００２９】
とりわけ、本形態では、防鳥ネット１を複数、しかもその各網面３が略平行状になるように、間隔をおいてセットしたため、１つの防鳥ネット１を跨ぐ位置に、それぞれ川鵜が潜行してきても、隣の防鳥ネット１を通して鮎を逃がすことができるため、極めて効果的である。
【００３０】
また、本形態では、防鳥ネット１のセットについて、これをその網面３が河川１０１の上流から下流に向けてその流れに沿うようにセットするようにしているため、前記したように、防鳥ネット１に対する水流による水圧を小さくできるため、防鳥ネット１を痛めることが少ない。加えて、セットが容易であるという効果もある。
【００３１】
とくに、本形態では、防鳥ネット１は、その水面１０３寄りをなす上縁１１の適所に或いは上縁１１に沿ってフロート１２が取付けてあり、川底１０５寄りをなす下縁１５の適所に或いは下縁に沿って錘１６が取付けてあるため、上下にも安定して展開できる。そして、河川１０１を横断する配置で索体２１を張っておき、防鳥ネット１側の一端部にリング（環状体）２５を取付け、索体２１に対しリング２５がスライド自在に遊嵌されており、このリング２５を索体２１に沿って移動することで、川幅における任意の位置に防鳥ネット１の一端部１８を移動できる。しかも、その移動は、川岸の一方において、別設のセット用又は回収用のロープ２７の操作でできるため、極めて便利である。なお、防鳥ネット１の一端部１８を、索体２１にロープ２２、２３を介して連結した場合を例示したが、直接連結してもよい。また、本発明において、河川を横断する配置で索体を張る、ということについては、索体２１は河川を確実に横断していなくともよい。つまり、前記形態における一方又は両方の杭（１１５、１１６）が、川岸に打ち込まれることなく、川岸（１１１、１１２）寄りの水中において打ち込まれていてもよいことを意味する。
【００３２】
なお、ここで本発明に用いる防鳥ネット１についての網目２について説明する。網目２は、前記したように、保護対象魚である鮎（成魚）は通過可能で、その食害原因となっている川鵜は通過不能又は通過困難であればよく、その形状のいかんは問われない。網目２は任意の多角形（例えば、矩形）でよい。通過困難とは、通過できるとしても、川鵜の羽根又は脚ひれが邪魔となって、川鵜が円滑に網目を通過できない状態をいう。また、通過困難である網目２の大きさは、本願発明者らによる川鵜（成鳥）を用いた実験によれば、例えばそれが矩形（正方形に近い長方形）の場合には、短辺が、約２５ｃｍ以下である。また、鮎が通過可能である網目２の大きさは、例えばそれが矩形（長方形）の場合には、短辺が、約３ｃｍ以上である。したがって、本発明における網目２の大きさは、それが矩形（正方形又は長方形）の場合には、一辺又は短辺を、５〜２２ｃｍの範囲とするのが好ましく、特に好ましくは１０〜２０ｃｍの範囲である。もっとも、三角又は五角形以上の多角形としてもよいが、その場合には、多角形の具体的形状にあわせて、川鵜が通過困難である網目２の大きさに設定（設計）すればよい。
【００３３】
さて次に、本発明の防鳥ネットのセット方法の別の実施の形態について図６に基づいて説明する。
【００３４】
このものは、防鳥ネット５１が、川鵜が通過不能又は通過困難な網目２からなる矩形をなしており、その網面３が略水面１０３に位置するように適所にフロート１２を備えている。そして、その対向する側縁（長辺）５２、５３に沿って適宜の間隔で、両側縁５２、５３の間に適度の張りを保持させるように両側縁５２、５３の間に、間隔保持部材である棒又はパイプ５５が適数本（図示では両端部のものも含めて４本）、介在されている。なお、両側縁５２、５３の間に介在させる間隔保持部材は、棒又はパイプでなくともよい。
【００３５】
そして、上記した発明の場合と同様に、河川１０１を横断する配置で索体２１を張っておき、防鳥ネット５１の一端部（図６右上）５８を索体２１に、直接、又は例えばロープ２２を介して間接に連結する。このとき、防鳥ネット５１の両側縁５２、５３の間には適度の張りが保持されているとともに、防鳥ネット５１の網面３はフロート１２によって浮かされる。このため、防鳥ネット５１は、河川１０１の上流（図６右上）から下流（図６左下）に向けてその水流によって展開状に保持される。かくして、防鳥ネット５１を河川１０１の水面１０３にセットすることにより、この防鳥ネット５１の下にいる鮎は、川鵜による食害から保護される。なお、図６中、１１５、１１６は、両川岸１１１、１１２に打ち込んだ杭であり、索体２１は、この両杭の間で河川１０１を横断する配置で張られている。
【００３６】
このような防鳥ネットのセット方法によれば、簡易にそのセット、及び回収ができるため、例えば、川鵜の飛来、退去に応じて、そのセット、回収ができるため極めて便利である。なお、索体２１に対する防鳥ネット５１の連結は、防鳥ネット５１の前端部５８に取付けたロープ２２の先端に、図４に示したのと同様に、リング２５を取り付けておくとともに、そのリングを索体２１にスライド自在に遊嵌しておき、別の索体（又はロープ）でそのリングを川岸から離間又は引寄せ操作するようにしておいてもよい。
【００３７】
なお、図６に示した前記の実施の形態において、フロート１２を用いることなく、防鳥ネット５１自体を水に浮く素材からなるもの（例えば、ポリプロピレン等の公知の樹脂素材）で形成してもよい。このようにすれば、別途にフロートを要することなく、防鳥ネット５１を浮かばせることができる。したがって、別途にフロートを要しない分、その構成の簡略化が図られる。
【００３８】
本発明は、上記した実施の形態のものに限定されるものではなく、適宜に設計変更して具体化できる。例えば、防鳥ネットの平面形状については、矩形又は長方形のもので具体化したが、これ以外の形状のものとしても具体化できる。また、防鳥ネットは、網面が平面をなすものにおいて具体化したが、ある程度の厚みを有するように立体網構造のものを用いてもよい。また、河川を横断する索体は水中において張られていてもよい。さらに、上記においては、川小魚を鮎とし、捕食する鳥を川鵜として具体化したが、これに限定されるものでない。すなわち、川小魚については、鮎以外に、あまご、いわな、うぐい、おいかわ、又はやまめのように、清流や渓流に生息する川小魚を対象とできる。また、川鵜の他、カワアイサ等のようにこれらの川小魚を潜って捕食する鳥による食害から、同川小魚を保護するのに具体化できる。なお、網目の大きさは、保護対象魚と捕食する鳥の体長ないし胴周り等の大きさから適宜に設定すればよい。ただし、網目の大きさが矩形（正方形又は長方形）の場合には、一辺又は短辺（開口の有効長さ）を、５〜２２ｃｍの範囲であれば、保護対象魚と捕食する鳥に関係なく有効である。もっとも、より好ましいのは、網目の大きさが矩形（正方形又は長方形）の場合には、一辺又は短辺が、１０〜２０ｃｍの範囲である。
【００３９】
【発明の効果】
以上説明したように本発明によれば、川鵜等を害することなく、鮎等の川小魚を、川鵜等による食害から有効に防止できる。また、本発明にかかる防鳥ネットのセット方法によれば、簡易、迅速に防鳥ネットのセット、及び回収ができる。
【図面の簡単な説明】
【図１】本発明の第１の実施の形態の説明用の斜視図。
【図２】図１において河川を横断する形の断面図。
【図３】図１において河川を縦断する形の断面図。
【図４】図１のおけるＡ部拡大図。
【図５】図１のおける部分拡大図。
【図６】本発明の別の実施の形態の説明用の斜視図。
【符号の説明】
１、５１  防鳥ネット
２  防鳥ネットの網目
３  防鳥ネットの網面
１１  防鳥ネットの上縁
１２  フロート
１５  防鳥ネットの下縁
１６  錘
１８  防鳥ネットの一端部
２１  河川を横断する配置の索体
１０１  河川
１０３  水面
１０５  川底
Ｆ  鮎
Ｋ  川鵜
【図１】
2005058011.tif 000003
【図２】
2005058011.tif 000004
【図３】
2005058011.tif 000005
【図４】
2005058011.tif 000006
【図５】
2005058011.tif 000007
【図６】
2005058011.tif 000008